(57)【要約】【課題】ユーザーがバッテリーを充電する際、満充電状態にする充電モードとバッテリーを長寿命化させるための満充電に満たない充電モードの２つの充電モードで充電するかを毎回選択するのは、ユーザーに負担がかかる。【解決手段】バッテリー装置の接続状態と充電対象バッテリー装置の個数に応じて充電モードを切り替えることにより、より、ユーザー使用に適した充電モードを自動で選択できるようにする。【選択図】図１
2017121102.tif 000002
【特許請求の範囲】
【請求項１】
外部からの無線給電電力を受電して充電を行う充電手段と、
現在の充電量を検知する充電量検知手段と、
前記充電量検知手段により満充電状態である第一の充電状態を検知し、前記充電手段による充電動作を終了する第一の充電終了手段と、
前記充電量検知手段により満充電に満たない所定の充電量である第二の充電状態を検知し、前記充電手段による充電動作を終了する第二の充電終了手段と、
外部機器に接続して電力を供給する電力供給手段と、
前記外部機器と接続しているかどうかを検出する接続検出手段と、を備え、
前記充電手段により充電動作を行っている際に、前記接続検出手段の検出結果に応じて前記第一の充電終了手段または前記第二の充電終了手段により充電を終了することを特徴とするバッテリー装置。
【請求項２】
前記接続検出手段の検出結果が前記外部機器と接続していない場合は、前記第一の充電終了手段により、満充電状態まで充電してから終了することを特徴とする請求項１に記載のバッテリー装置。
【請求項３】
前記接続検出手段の検出結果が前記外部機器と接続している場合は、前記第二の充電終了手段により、満充電に満たない所定の充電状態で充電を終了することを特徴とする請求項１に記載のバッテリー装置。
【請求項４】
無線電力を供給して外部バッテリー装置を充電する無線給電手段と、
前記無線給電手段の給電対象である前記外部バッテリー装置の充電量を取得する充電量取得手段と、
前記充電量取得手段により取得した前記外部バッテリー装置の充電量が満充電状態になるよう前記無線給電手段により給電を行う第一の充電モードと、
前記充電量取得手段により取得した前記外部バッテリー装置の充電量が満充電状態に満たない所定の充電量状態になるよう前記無線給電手段により給電を行う第二の充電モードと、
前記外部バッテリー装置の機器に関する情報を取得する情報取得手段を備え、
前記情報取得手段が取得した情報に応じて前記第一の充電モードと前記第二の充電モードとを切り替えることを特徴とする無線給電装置。
【請求項５】
前記情報取得手段により取得した前記外部バッテリー装置に関する情報は、前記外部バッテリー装置内の充電電力が、外部機器に対して電力給電可能状態であるかどうかに関する情報であることを特徴とする請求項４に記載の無線給電装置。
【請求項６】
前記情報取得手段により取得した前記外部バッテリー装置に関する情報が、前記外部バッテリー装置内の充電電力が、外部機器に対して電力給電可能状態である場合は、前記第二の充電モードで給電することを特徴とする請求項５に記載の無線給電装置。
【請求項７】
前記情報取得手段により取得した前記外部バッテリー装置に関する情報が、前記外部バッテリー装置内の充電電力が、外部機器に対して電力給電可能状態でない場合は、前記第一の充電モードで給電することを特徴とする請求項５に記載の無線給電装置。
【請求項８】
前記情報取得手段は複数の外部バッテリー装置から情報を取得し、取得した複数の前記外部バッテリー装置に関する情報の中から、同一の外部機器に対して電力供給可能な前記外部バッテリー装置が２つ以上存在した場合は、前記同一の外部機器に対して電力供給可能な前記外部バッテリー装置に対して、前記第一の充電モードで充電を行うことを特徴とする請求項４に記載の無線給電装置。
【請求項９】
前記情報取得手段は複数の外部バッテリー装置から情報を取得し、取得した複数の前記外部バッテリー装置に関する情報の中から、同一の外部機器に対して電力供給可能な前記外部バッテリー装置が２つ以上存在しなかった場合は、前記同一の外部機器に対して電力供給可能な前記外部バッテリー装置に対して、前記第二の充電モードで充電を行うことを特徴とする請求項４に記載の無線給電装置。
【発明の詳細な説明】
【技術分野】
【０００１】
本発明は、無線充電を行うバッテリー装置および無線給電装置に係り、特に無線充電による充電量制御に関する。
【背景技術】
【０００２】
携帯機器などで使用するバッテリー装置は消耗品であり、使うたびに少しずつ劣化が進んでいく。このバッテリー劣化原因の１つとして、満充電状態での放置があげられる。
【０００３】
バッテリーの長寿命化として、バッテリーの充電量を満充電にせず、所定の充電容量までしか充電しないモードを備える技術などが提案され、特許文献１に記載されている。
【先行技術文献】
【特許文献】
【０００４】
【特許文献１】特開２００２−７８２２２号公報
【発明の概要】
【発明が解決しようとする課題】
【０００５】
しかしながら、満充電せずに所定の充電量までしかバッテリーを充電しない場合、バッテリーの使用時間が減少してしまう。この場合、ユーザーが長時間、機器を使用したい際、本来使用可能な時間分、機器を使用することができないといった問題があった。
【０００６】
また、満充電モードと、満充電に満たない充電モードの２つの充電モードをもって、ユーザーが充電時に所定のモードを選んで充電するといったことも出来るが、この場合は、ユーザーは毎回充電時に充電モードを選ばなくてはならず、ユーザーにとって負担になってしまう。
【０００７】
本発明はこのような課題に着目してなされたものであり、その目的とするところは、バッテリー装置に対する無線充電状況に応じて、満充電する充電モードと、満充電に満たない、バッテリーを長寿命化させる充電モードの２つの充電モードを自動で選択し、ユーザーの使用状況に応じた好適なバッテリー充電を行うことである。
【課題を解決するための手段】
【０００８】
上記の目的を達成するために、本発明に係るバッテリー装置は、
外部からの無線給電電力を受電して充電を行う充電手段を有し、現在の充電量を検知する充電量検知手段と、前記充電量検知手段により満充電状態である第一の充電状態を検知し、前記充電手段による充電動作を終了する第一の充電終了手段と、前記充電量検知手段により満充電に満たない所定の充電量である第二の充電状態を検知し、前記充電手段による充電動作を終了する第二の充電終了手段と、外部機器に接続して電力を供給する電力供給手段と、前記外部機器と接続しているかどうかを検出する接続検出手段とを備え、前記充電手段により充電動作を行っている際に、前記接続検出手段の検出結果に応じて前記第一の充電終了手段または前記第二の充電終了手段により充電を終了することを特徴とする。
【０００９】
また、本発明に係る無線給電装置は、
無線電力を供給して外部バッテリー装置を充電する無線給電手段と、前記無線給電手段の給電対象である前記外部バッテリー装置の充電量を取得する充電量取得手段と、前記充電量取得手段により取得した前記外部バッテリー装置の充電量が満充電状態になるよう前記無線給電手段により給電を行う第一の充電モードと、前記充電量取得手段により取得した前記外部バッテリー装置の充電量が満充電状態に満たない所定の充電量状態になるよう前記無線給電手段により給電を行う第二の充電モードと、前記外部バッテリー装置の機器に関する情報を取得する情報取得手段を備え、前記情報取得手段が取得した情報に応じて前記第一の充電モードと前記第二の充電モードとを切り替えることを特徴とする。
【発明の効果】
【００１０】
本発明によれば、ユーザーの煩雑な設定操作をせずに、ユーザーの使用状況に応じて、満充電する充電モードと、満充電に満たない、バッテリーを長寿命化させる充電モードの２つの充電モードを自動で選択し、ユーザーの使用状況に応じた好適なバッテリー充電を行うことができる。
【図面の簡単な説明】
【００１１】
【図１】実施例１に係るバッテリー装置および無線給電装置の一例の概観を示す図である。
【図２】実施例１に係るバッテリー装置の内部構成を説明するブロック図である。
【図３】実施例２に係る無線給電装置の内部構成を説明するブロック図である。
【図４】実施例１に係るバッテリー装置のメイン処理の流れを説明するフローチャートである。
【図５】実施例２に係る無線給電装置のメイン処理の流れを説明するフローチャートである。
【図６】実施例２に係る無線給電装置のバッテリー装置を管理するための管理テーブルを示す図である。
【発明を実施するための形態】
【００１２】
以下に、本発明の好ましい実施の形態を、添付の図面に基づいて詳細に説明する。
【００１３】
（実施例１）
以下、図面を参照して、本発明の第１の実施例による、バッテリー装置について説明する。
【００１４】
実施例１では、バッテリー装置が、自身のバッテリーをどの程度まで充電するか（満充電モードと長寿命モード）を決定し、充電を制御することにより、ユーザーの使用に適した充電を行う。
【００１５】
図１は本発明の実施例にかかわるバッテリー装置および無線給電装置の一例の概観を示す図である。
【００１６】
無線給電装置１００は、電源プラグ１０１および電源ケーブル１０２を通じて供給される商用電源で動作する。無線給電装置本体１０３には、ユーザーに対して通知を行うための表示部１０４と、ユーザーが無線給電装置の機能を設定するための操作部１０５が設けられている。無線給電装置本体１０３はさらに、近距離無線通信による通信が可能な領域（通信装置本体１０３の、外部機器を載置する面内の領域）を示す通信処理用の充電通信スポット１０６を有する。本実施例の通信装置１００は、充電通信スポット１０６を４つ有している。
【００１７】
充電通信スポット１０６は、近距離無線通信に対応した外部バッテリー装置が一定の距離内に近づくと、通信を行い、機器間で情報のやりとりを行うことが可能である。また、充電通信スポット１０６は、情報の通信処理を行うだけでなく、外部バッテリー装置に対して、電力を供給することも可能である。
【００１８】
バッテリー装置１０７は、内部にバッテリーを有しており、無線給電装置１００の充電通信スポット１０６の近傍に位置すると、情報のやりとりを行い、その後、無線給電装置１００から送られてくる無線電力を受電して、内部バッテリーに電力を充電する。
【００１９】
図２は本実施例のバッテリー装置１０７の内部構成例を示すブロック図である。
【００２０】
２０１は、制御部であり、記憶部２０４に記憶されているプログラムコードに従い、充電制御部２０５の制御や、コイル制御部２０２を制御して、外部無線給電装置と通信を行うための処理を行う。
【００２１】
２０２は、コイル制御部であり、給電機器より発生される磁束変化パターンを元に、制御情報の受信を行う。具体的には、給電側から送られてくる、決められたパターンの磁束変化を受けると、バッテリー装置１０７のコイル２０３にはこれに応じた起電力パターンが生成される。このパターンを決められたプロトコルに基づいて解釈することにより、コイル制御部２０２は、情報の通信を行う。また、コイル制御部２０２は、情報通信用の磁束変化を受信するだけでなく、充電用の磁束を受信して、内部充電バッテリーを充電する。また、コイル制御部２０２は、磁束を受信するだけでなく、信号伝達用の磁束を発生させることができる。これは、電力伝達用と情報通信用との磁束を受信するとともに、バッテリー装置１０７から通信情報を送信するためのものである。
【００２２】
２０３は、コイルであり、給電機器のコイルから磁束変化を受け、起電力を発生させるためのものである。また、起電力を発生させるためだけでなく、電力伝達用と一緒に重畳された情報通信用の磁束変化を受けるためのものでもある。また、受信とともに、コイル制御部２０２を用いて情報通信用の磁束変化を発生させることにも使用する。
【００２３】
２０４は、記憶部であり、制御部２０１のためのソフトウェアが格納されている。また、一時データの保存場所としても用いられる。また、バッテリー装置１０７を一意に識別するための、ＩＤ情報も記憶されている。
【００２４】
２０５は、充電制御部であり、コイル制御部から送られてくる無線充電電力を充電バッテリーに対して最適に充電を行うための制御を行う。また、外部電源管理部２０６へ送るための充電電力を制御する。
【００２５】
２０６は、外部電源管理部であり、充電バッテリー２０７に蓄えられている電力を、外部機器に供給する制御を行う。
【００２６】
２０７は、充電バッテリーであり、充電制御部２０５から送られてくる充電用電力を蓄える。
【００２７】
図４は本実施例におけるバッテリー装置１０７のメイン処理を説明するフローチャートである。なお、以下において、フローチャートを用いて説明する各種の動作は、全て制御部２０１がバッテリー装置１０７の各部を制御することにより実現される。
【００２８】
図４はバッテリー装置１０７が、自身が備えるバッテリーの充電量を管理すると共に、充電モードを選択する。すなわち、無線給電装置１００から受電する無線電力を元に、バッテリー装置１０７自身の制御で、充電モードに応じた充電を管理する。
【００２９】
まず、バッテリー装置１０７は、外部から電源供給用の無線電力が充電するかどうかを検知する（ステップＳ４０１）。具体的には、電力給電用の磁束変化が外部に存在すると、コイル２０３により起電力が発生し、コイル制御部により、電力の充電を検知する。
【００３０】
バッテリー装置１０７が外部無線給電装置の近傍に置かれ、外部からの電源供給を検知すると（ステップＳ４０１、ＹＥＳ）、制御部２０１は充電制御部２０５を制御して、バッテリー残量を確認する（ステップＳ４０２）。
【００３１】
バッテリー装置１０７が外部からの電源供給を検知しない場合は（ステップＳ４０１、ＮＯ）、起電力がバッテリー装置内で発生しないため、何も起こらない。
【００３２】
次に、バッテリー残量を確認すると、制御部２０１はバッテリー残量情報をいったん記憶部２０４に記憶し、次に、バッテリー装置１０７自身が外部機器と接続しており、充電バッテリー２０７に蓄えられている電力を供給可能な状態であるかを確認する（ステップＳ４０３）。この機器内接続確認には、制御部２０１が外部電源管理部に問い合わせることにより、実現する。外部電源管理部は、供給対象機器の存在を、電力供給ラインの負荷の値を元に判断する。
【００３３】
次に、バッテリー装置１０７が、外部機器に対してバッテリー充電電力を供給可能状態であった場合は（ステップＳ４０４、ＹＥＳ）、制御部２０１は自身のバッテリー充電を長寿命モードで行うと判断する。長寿命モードとは、充電バッテリー２０７の充電可能電力の８０パーセント程度まで充電し、充電を完了するモードである。これにより、機器の使用時間は減少するが、バッテリーの使用回数を増やし、長持ちさせることが可能になる。また、充電バッテリーを満充電にせず、８０パーセント程度にとどめておくことにより、満充電状態での継続時間をなくし、バッテリー寿命を長くすることが可能になる。
【００３４】
次に、制御部２０１は、現在の充電バッテリー２０７の充電量状態が、長寿命モードにおいて、充電完了状態であるかを確認する（ステップＳ４０５）。充電完了状態の確認には、ステップＳ４０２において記憶した、現在の充電量情報と、予め記憶されている長寿命モード時の完了充電量との値を比較することによって行われる。
【００３５】
制御部２０１が長寿命モードにおいて充電完了状態であると判断した場合は（ステップＳ４０５、ＹＥＳ）、制御部２０１は、充電制御部２０５に対して、受電している外部無線電力を充電バッテリー２０７に充電しないように充電制御部２０５を制御し、充電を完了する（ステップＳ４０７）。
【００３６】
制御部２０１が長寿命モードにおいて充電完了状態であると判断しなかった場合は（ステップＳ４０５、ＮＯ）、制御部２０１は、充電制御部２０５を制御して、長寿命モードにおける充電完了状態まで充電を行う（ステップＳ４０６）。
【００３７】
次に、バッテリー装置１０７が、外部機器に対してバッテリー充電電力を供給可能状態でなかった場合は（ステップＳ４０４、ＮＯ）、制御部２０１は自身のバッテリー充電を満充電モードで行うと判断する。満充電モードとは、充電バッテリー２０７の充電可能電力の１００パーセントを充電し、充電を完了するモードである。これにより、機器の使用時間を最大にすることができる。一方で、長寿命モードで充電したバッテリーと比較すると、使用回数が減少し、バッテリーが長持ちしなくなる。
【００３８】
次に、制御部２０１は、現在の充電バッテリー２０７の充電量状態が、満充電モードにおいて、充電完了状態であるかを確認する（ステップＳ４０８）。充電完了状態の確認には、ステップＳ４０２において記憶した、現在の充電量情報と、予め記憶されている満充電モード時の完了充電量との値を比較することによって行われる。
【００３９】
制御部２０１が満充電モードにおいて充電完了状態であると判断した場合は（ステップＳ４０８、ＹＥＳ）、制御部２０１は、充電制御部２０５に対して、受電している外部無線電力を充電バッテリー２０７に充電しないように充電制御部２０５を制御し、充電を完了する（ステップＳ４０７）。
【００４０】
制御部２０１が満充電モードにおいて充電完了状態であると判断しなかった場合は（ステップＳ４０８、ＮＯ）、制御部２０１は、充電制御部２０５を制御して、満充電モードにおける充電完了状態まで充電を行う（ステップＳ４０９）。
【００４１】
以上のように、バッテリー装置１０７は、自身のバッテリー装置状態（充電バッテリーを供給可能かどうかの状態）に応じて、充電モードを選択し、充電を行うことにより、より、ユーザーの希望に即したかたちで充電を行うことが可能になる。具体的には、外部機器内に格納されている状態で、無線充電を行う状況では、ユーザーが、日々携帯するような機器が多く、充電回数が多い傾向がある。このような状況では、バッテリーを長寿命モードで充電することにより、バッテリー寿命を延ばして使用できる方が望ましい。
【００４２】
一方で、バッテリー装置が外部機器内に格納されておらず、単体で、無線充電を行う状況では、そのバッテリーが予備バッテリーであることが多く、ユーザーは長時間使用を想定している事が多い。また、このようなバッテリーは予備的に使用されるので、使用回数も少ないことが多い。このような状況では、バッテリーを満充電モードで充電することにより、バッテリーの使用時間を延ばして使用できる方が望ましい。
【００４３】
以上のように、本発明では、バッテリー寿命を延ばすための長寿命モード充電と、使用時間を最大にする満充電モード充電の２つの充電モードを備え、バッテリー装置の充電状況に応じて、バッテリー装置自身で充電モードを選択し実行することができる。これにより、ユーザーの使用状況に適した充電を行うことができる。
【００４４】
以上、本発明の好ましい実施形態について説明したが、本発明はこれらの実施形態に限定されず、その要旨の範囲内で種々の変形及び変更が可能である。
【００４５】
（実施例２）
以下、図面を参照して、本発明の第２の実施例による、無線給電装置について説明する。
【００４６】
実施例２は、無線給電装置１００が充電対象のバッテリー装置１０７からバッテリー状態の情報を取得することにより、充電モード（満充電モード、長寿命モード）を決定し、給電を行う実施例である。
【００４７】
本発明の無線給電装置１００と充電対象であるバッテリー装置１０７とのシステム構成図は、実施例１の図１と同様であるので、省略する。
【００４８】
図３は本実施例の無線給電装置１００の内部構成例を示すブロック図である。
【００４９】
３０１は、制御部であり、記憶部３０２に記憶されているプログラムコードに従い、第１のコイル制御部３０４、第２のコイル制御部３０６、第３のコイル制御部３０８、第４のコイル制御部３１０を制御して、外部バッテリー装置と通信および給電を行うための処理を行う。また、制御部３０１は、操作部１０５を制御してユーザーからの入力情報を管理する。また、制御部３０１は、表示部１０４を制御して、画面表示を管理する。また、制御部３０１は、電源管理部３０３を制御して、外部から送られてくる電力を管理する。
【００５０】
３０２は、記憶部であり、制御部３０１のためのソフトウェアが格納されている。また、一時データの保存場所としても用いられる。特に、バッテリー装置１０７を管理するための管理テーブル情報を一時的に記憶する。
【００５１】
３０３は、電源管理部であり、電源プラグ１０１および電源ケーブル１０２から送られてくる商用電源を直流電源に変換し、本体動作用の電源および外部バッテリー装置へ給電するための電力を制御するためのものである。
【００５２】
３０４は、第１のコイル制御部であり、外部バッテリー装置より発生される磁束変化パターンを元に、制御情報の受信を行う。具体的には、給電側から送られてくる、決められたパターンの磁束変化を受けると、コイル３０５にはこれに応じた起電力パターンが生成される。このパターンを決められたプロトコルに基づいて解釈することにより、コイル制御部３０４は、情報の通信を行う。また、第１のコイル制御部３０４は、磁束を受信するだけでなく、信号伝達用の磁束を発生させる。また、第１のコイル制御部３０４は、外部バッテリー装置１０７に対して、充電用電力を送信する制御も行う。
【００５３】
３０５は、第１のコイルであり、電力伝達用の磁束を発生させるためのものである。また、第１のコイル３０５は、電力伝達用と一緒に重畳された情報通信用の磁束を発生させる。また、第１のコイル３０５は、外部バッテリー装置１０７から送られてくる磁束を受信し、情報のやりとりも行う。
【００５４】
３０６は、第２のコイル制御部であり、第１のコイル制御部３０４と同様の動作を行う。
【００５５】
３０７は、第２のコイルであり、第１のコイル３０５と同様の動作を行う。
【００５６】
３０８は、第３のコイル制御部であり、第１のコイル制御部３０４と同様の動作を行う。
【００５７】
３０９は、第３のコイルであり、第１のコイル３０５と同様の動作を行う。
【００５８】
３１０は、第４のコイル制御部であり、第１のコイル制御部３０４と同様の動作を行う。
【００５９】
３１１は、第４のコイルであり、第１のコイル３０５と同様の動作を行う。
【００６０】
次に、図５は本実施例における無線給電装置１００のメイン処理を説明するフローチャートである。なお、以下において、フローチャートを用いて説明する各種の動作は、全て制御部３０１が無線給電装置１００の各部を制御することにより実現される。
【００６１】
図５は無線給電装置１００が外部バッテリー装置１０７から取得したバッテリー情報を元に、充電モードを決定し、給電動作を行うための処理を説明するための図である。この場合、バッテリー装置１０７は、充電モードに関する管理は行わず、無線給電装置１００側が充電モードに関する動作を全て管理する。
【００６２】
まず、ユーザーにより無線給電装置１００に対して電源が投入されると、無線給電装置１００は予め決められた間隔で、定期的に磁束パターンを送出し、無線給電装置１００上に受電装置である外部バッテリー装置１０７が乗せられているかどうかを検知する（ステップＳ５０１）。受電装置の検知には、磁束パターンの送出時における、消費電力の変化をもとに行う。磁束パターンを送出し、所定以上の消費電力の増大が検知した場合は、制御部３０１は、外部バッテリー装置が存在すると判別する。また、消費電力の増大が所定値以下だった場合は、制御部３０１は、受電装置が存在しないと判別する。
【００６３】
次に、外部バッテリー装置１０７が存在すると判別した場合は（ステップＳ５０２、ＹＥＳ）、外部バッテリー装置１０７の機器情報を取得する（ステップＳ５０３）。
【００６４】
無線給電装置１００とバッテリー装置１０７との間における、情報通信の処理の詳細は後述する。
【００６５】
また、本実施例では、充電スポットが４個所存在し、４個所において、機器検知の処理を独立に行う。
【００６６】
外部バッテリー装置１０７が存在しないと判別した場合は（ステップＳ５０２、ＮＯ）、外部バッテリー装置１０７の存在を検知するため、所定の間隔で機器検知処理（ステップＳ５０１）を繰り返し行う。
【００６７】
次に、制御部３０１は、ステップＳ５０３で取得した外部バッテリー装置情報を、記憶部３０２に記憶する。外部バッテリー装置情報の管理には、図６に示す管理テーブルを用いて管理する。
【００６８】
ここで、外部バッテリー装置１０７から取得した機器情報を元に、作成する管理テーブルの構成について、図６を用いて説明する。
【００６９】
図６は取得した外部バッテリー装置情報の管理テーブルであり、機器番号、機器ＩＤ、バッテリータイプ、バッテリー位置、充電状態、充電モードの６つの情報から構成される。
【００７０】
機器番号６０１は、外部バッテリー装置１０７が置かれた位置に関する情報である。本実施形態では、４つの充電通信スポットを有しており、各充電通信スポットに１〜４の番号が振られており、対応するスポットに置かれた機器を、機器番号１〜４とする。
【００７１】
機器ＩＤ６０２は、外部バッテリー装置１０７固有のＩＤ情報であり、バッテリー装置を一意に判別するための情報である。このＩＤ情報は、各バッテリー装置１０７が有しており、バッテリー装置からＩＤ情報を取得し、管理テーブルに登録する。
【００７２】
バッテリータイプ６０３は、外部バッテリー装置が充電電力を供給する機器を識別するための情報である。このバッテリータイプ情報は、各バッテリー装置１０７が有しており、バッテリー装置から取得し、管理テーブルに登録する。この情報を用いることにより、複数台のバッテリー装置が共通の機器用のバッテリーであることが判断できる。
【００７３】
バッテリー位置６０４は、無線給電中のバッテリー装置１０７が単体で無線給電装置１００に置かれているか、外部機器内に装着されて存在しているかを示す情報である。バッテリー位置６０４情報は、バッテリー装置から取得し、管理テーブルに登録する。
【００７４】
充電状態６０５は、バッテリー装置のバッテリー充電量を示す情報である。充電状態６０５情報は、バッテリー装置から取得し、管理テーブルに登録する。
【００７５】
充電モード６０６は、満充電モードと長寿命モードのどちらで充電を行うかを示す情報である。充電モード６０６情報は、無線給電装置１００が充電モードを決定し、管理テーブルに登録する。充電モード６０５は、外部機器情報取得時（ステップＳ５０３）には、決定されない項目であり、最初は空白状態にしておく。
【００７６】
６０８〜６１１は、各充電通信スポット１０６に対応するバッテリー装置の機器情報を格納するための行である。本実施例では、４つの充電通信スポット１０６を有するので、４つの機器情報を格納するための行が存在する。
【００７７】
次に、図５に戻り、制御部３０１は４つの充電スポット１０６の中から、外部機器情報を取得していないバッテリー装置が存在するかどうかを確認する（ステップＳ５０５）。
【００７８】
外部機器情報を取得していないバッテリー装置が充電通信スポット１０６上に存在していた場合は（ステップＳ５０５、ＹＥＳ）、ステップＳ５０３に戻り、機器情報を取得し、対応する管理テーブル内の箇所に機器情報を登録する。
【００７９】
外部機器情報を取得していないバッテリー装置が充電通信スポット１０６上に存在していなかった場合は（ステップＳ５０５、ＮＯ）、各バッテリー装置において、給電を行うかどうかの判断をする。具体的には、まず、制御部３０１は、管理テーブル内に登録されているバッテリー装置を管理テーブル内から１つ選ぶ（ステップＳ５０６）。
【００８０】
選択したバッテリー装置１０７のバッテリータイプ６０３情報が、すでに給電中のバッテリー装置１０７に存在するかどうかを確認する（ステップＳ５０７）。
【００８１】
すなわち、最初に管理テーブル内から選択されたバッテリー装置の場合は、該当するバッテリータイプは無いと判定される。選択したバッテリー装置１０７のバッテリータイプ６０３情報が、すでに給電中のバッテリー装置１０７に存在する場合は（ステップＳ５０７、ＹＥＳ）、制御部３０１は、選択した該バッテリー装置１０７の充電モードを満充電モードと決定し、管理テーブルの充電モード６０６に満充電モードを示す値を書き込む（ステップＳ５０８）。
【００８２】
次に、制御部３０１は、記憶部３０２に記憶されているバッテリー装置１０７に関する管理テーブルの充電状態６０５から、現在の充電量を参照し、これが満充電状態かどうかを確認する（ステップＳ５０９）。
【００８３】
バッテリー装置１０７の現在の充電量が満充電状態であった場合は（ステップＳ５０９、ＹＥＳ）、制御部３０１は、該バッテリー装置１０７に対しての充電用電力供給は不要と判断する（ステップＳ５１０）。バッテリー装置１０７の現在の充電量が満充電状態でなかった場合は（ステップＳ５０９、ＮＯ）、制御部３０１は、該バッテリー装置１０７に対しての充電用電力供給は必要と判断する（ステップＳ５１０）。
【００８４】
次に、選択したバッテリー装置１０７のバッテリータイプ６０３情報が、すでに給電中のバッテリー装置１０７に存在しない場合は（ステップＳ５０７、ＮＯ）、制御部３０１は、選択したバッテリー装置１０７がバッテリー単体で置かれているか、機器内に存在しているかどうかを確認するため、記憶部３０２に記憶されているバッテリー装置１０７に関する管理テーブルのバッテリー位置６０４を参照する（ステップＳ５１２）。選択したバッテリー装置１０７がバッテリー単体で置かれている場合は（ステップＳ５１２、ＹＥＳ）、ステップＳ５０８の処理に移行し、制御部３０１は、該バッテリー装置１０７の充電モードを満充電モードと決定して、処理を進める。
【００８５】
選択したバッテリー装置１０７がバッテリー単体で置かれておらず、機器内に存在する場合は（ステップＳ５１２、ＮＯ）、制御部３０１は、該バッテリー装置１０７の充電モードを長寿命モードと決定し、管理テーブルの充電モード６０６に長寿命モードを示す値を書き込む（ステップＳ５１３）。
【００８６】
次に、制御部３０１は、記憶部３０２に記憶されているバッテリー装置１０７に関する管理テーブルの充電状態６０５から、現在の充電量を参照し、これが長寿命モード時の充電完了状態かどうかを確認する（ステップＳ５１４）。
【００８７】
バッテリー装置１０７の現在の充電量が長寿命モード時の充電完了状態であった場合は（ステップＳ５１４、ＹＥＳ）、制御部３０１は、該バッテリー装置１０７に対しての充電用電力供給は不要と判断する（ステップＳ５１６）。
【００８８】
バッテリー装置１０７の現在の充電量が長寿命モード時の充電完了状態でなかった場合は（ステップＳ５１４、ＮＯ）、制御部３０１は、該バッテリー装置１０７に対しての充電用電力供給は必要と判断する（ステップＳ５１５）。
【００８９】
次に、ステップＳ５１０、ステップＳ５１１、ステップＳ５１５、ステップＳ５１６で充電用電力供給の必要の可否を判定した後、制御部３０１は、まだ充電用電力供給の必要の可否を判定していないバッテリー装置１０７が存在するかどうかを、管理テーブルを用いて確認する（ステップＳ５１７）。
【００９０】
充電用電力供給の必要の可否を判定していないバッテリー装置１０７がまだ他に存在する場合は（ステップＳ５１７、ＹＥＳ）、ステップＳ５０６に戻って充電モードと電力供給の必要性の有無を判定する。充電用電力供給の必要の可否を判定していないバッテリー装置１０７が他に存在しない場合は（ステップＳ５１７、ＮＯ）、テップＳ５１０、ステップＳ５１１、ステップＳ５１５、ステップＳ５１６で充電用電力供給が必要と判定したバッテリー装置に対して充電用電力を無線給電する（ステップＳ５１８）。
【００９１】
次に制御部３０１は、給電対象のバッテリー装置１０７に対して、定期的に現在の充電状態に関する問い合わせを行い、充電状態情報を取得し、管理テーブルの充電状態６０５を更新する。そして、制御部３０１は、更新した充電状態情報と充電モードとを元に、給電対象の中で充電完了状態になった機器がないかを確認する（ステップＳ５１９）。
【００９２】
給電対象の中で充電完了状態になった機器が存在した場合は（ステップＳ５１９、ＹＥＳ）、制御部３０１は、該当するコイル制御部を制御することにより、該当バッテリー装置１０７への給電を停止する（ステップＳ５２０）。
【００９３】
給電対象の中で充電完了状態になった機器が存在しなかった場合は（ステップＳ５１９、ＮＯ）、制御部３０１は、現状の給電状態を維持して給電を継続し、新たに充電対象バッテリー装置１０７の追加がないかを確認する（ステップＳ５２２）。充電対象バッテリー装置１０７の追加の確認は、記憶部３０２に記憶されている管理テーブル内で、機器情報登録がなされていない充電通信スポットに対して行う。
【００９４】
充電対象バッテリー装置１０７の追加があった場合は（ステップＳ５２２、ＹＥＳ）、ステップＳ５０３に戻って、該当充電通信スポット１０６上のバッテリー装置の機器情報取得を行い、管理テーブルに情報追加処理を行う。充電対象バッテリー装置１０７の追加がなかった場合は（ステップＳ５２２、ＮＯ）、制御部３０１は、充電対象バッテリー装置が充電通信スポット１０６上から取り出されているかどうかを確認する（ステップＳ５２３）。充電対象バッテリー装置が充電通信スポット１０６上から取り出されているかどうかの確認は、制御部３０１が、給電動作中のコイル制御部に対して、外部バッテリー装置の存在を問い合わせることにより行う。コイル制御部は、給電対象の外部負荷の変動により、バッテリー装置の有無を検知することが可能であり、制御部からの問い合わせに対して、返答を行う。
【００９５】
充電対象バッテリー装置が充電通信スポット１０６上から取り出されていた場合は（ステップＳ５２３、ＹＥＳ）、制御部３０１は、記憶部３０２に記憶されている管理テーブルにおいて、該当するバッテリー装置１０７機器情報を全て削除し、給電を停止させる（ステップＳ５２４）。充電対象バッテリー装置が充電通信スポット１０６上から取り出されていなかった場合は（ステップＳ５２３、ＮＯ）、ステップＳ５１９に戻り、給電対象機器の状態を問い合わせる処理から繰り返す。
【００９６】
以上のように、バッテリー装置１０７が無線給電装置１００に置かれた際、バッテリー装置が単体で置かれたか、または、機器に格納されて置かれたかに応じて充電モードを決定して充電することにより、ユーザーの使用状況に適した充電を行うことができる。具体的には、バッテリー装置１０７が外部機器内に格納されている状態で、無線充電を行う状況では、ユーザーが、日々携帯するような機器が多く、充電回数が多い傾向がある。このような状況では、バッテリーを長寿命モードで充電することにより、バッテリー寿命を延ばして使用できる方が望ましい。一方で、バッテリー装置単体で、無線充電を行う状況では、そのバッテリーが予備バッテリーであることが多く、ユーザーは長時間使用を想定している事が多い。
【００９７】
また、複数台のバッテリー装置１０７が無線給電装置１００に置かれた場合、同一機器向けのバッテリー装置が存在するかどうかによって、充電モードを決定して充電することにより、ユーザーの使用状況に適した充電を行うことができる。具体的には、同一機器向けのバッテリー装置が複数台存在した場合は、ユーザーは、予備バッテリーを準備している状況である可能性が高く、この場合はバッテリーを満充電状態にして、長時間機器を使用できるようにすることが望まれる。
【００９８】
次に、無線給電装置１００とバッテリー装置１０７との情報通信の通信処理の詳細に関して説明する。
【００９９】
無線給電装置１００はコイル制御部およびコイルを用いて一定パターンの磁束変化を発生させる。この磁束パターンは、一次コイルを通して給電装置の台に対して垂直方向に送出される。この制通信用磁束パターンは給電用の磁束に重畳して送信される。そして、ある決められた間隔で、磁束を強めて送信する、または、しないことにより、１と０のビットデータを作り出す。
【０１００】
次に、この磁束の強弱により認識されるビットデータをもとに、通信用のパケット構造を構築する。無線給電装置１００から受電機器であるバッテリー装置１０７に送られる制御情報は、予め規定されたパケットの構成をとり、プリアンブル部、宛先識別子およびコマンドコードの３つのフィールドから成る。プリアンブルは、給電機器と受電機器でパケット通信の同期をとるためのもので、一定間隔での励磁が３１回続いたあと、３２番目の励磁がなく、３２ビット時間で終了する。
【０１０１】
その次に、任意の宛先識別子とコマンドコードのビットパターンに対応した磁束の励磁パターンをつくりだす。また、宛先識別子には、特定の受電機器に割り振った個別識別子を用いる。
【０１０２】
以上のような方法を用いて、無線給電装置１００からバッテリー装置１０７に対して情報の通信を行う。また、バッテリー装置１０７から無線給電装置１００への情報通信も同様の方法を用いて行う。
【０１０３】
以上のように、実施例２では、本発明では、バッテリー寿命を延ばすための長寿命モード充電と、使用時間を最大にする満充電モード充電の２つの充電モードを無線給電装置１００に備え、無線給電装置１００がバッテリー装置１０７の状態情報を取得し、バッテリー装置の充電状態に応じて充電モードを制御し、充電することにより、ユーザーの使用状況・充電状態に適した充電モードで充電を行える。具体的には、バッテリー装置１０７が外部機器内に格納されている状態で、無線充電を行う状況では、ユーザーが、日々携帯するような機器が多く、充電回数が多い傾向がある。このような状況では、バッテリーを長寿命モードで充電することにより、バッテリー寿命を延ばして使用できる方が望ましい。
【０１０４】
一方で、バッテリー装置が外部機器内に格納されておらず、単体で、無線充電を行う状況では、そのバッテリーが予備バッテリーであることが多く、ユーザーは長時間使用を想定している事が多い。また、このようなバッテリーは予備的に使用されるので、使用回数も少ないことが多い。このような状況では、バッテリーを満充電モードで充電することにより、バッテリーの使用時間を延ばして使用できる方が望ましい。
【０１０５】
また、同一機器向けのバッテリー装置１０７が複数台同時で充電対象となっている場合、ユーザーは、そのバッテリーを予備バッテリーとして使用しようと考えていることが多く、ユーザーは長時間使用を想定している事が多い。このようなバッテリーは予備的に使用されるので、使用回数も少ないことが多い。このような状況では、バッテリーを満充電モードで充電することにより、バッテリーの使用時間を延ばして使用できる方が望ましい。
【０１０６】
本実施例では、電磁誘導を利用した無線給電を用いて、処理の流れを説明したが、本発明はこれに限らず、例えば、磁界共鳴を利用した非接触給電方式であってもよい。
【０１０７】
また、本実施例では、機器間の情報通信において、無線給電の磁束変化を用いた通信を行ったが、本発明はこれに限らず、例えば、無線ＬＡＮ等の無線通信手段を別途備えて実現してもよい。
【０１０８】
以上、本発明の好ましい実施形態について説明したが、本発明はこれらの実施形態に限定されず、その要旨の範囲内で種々の変形及び変更が可能である。
【符号の説明】
【０１０９】
１００  無線給電装置、１０１  電源プラグ、１０２  電源ケーブル、
１０３  無線給電装置本体、１０４  操作部、１０５  表示部、
１０６  充電通信スポット、１０７  バッテリー装置、２０１  制御部、
２０２  コイル制御部、２０３  コイル、２０４  記憶部、２０５  充電制御部、
２０６  外部電源管理部、２０７  充電バッテリー、３０１  制御部、３０２  記憶部、
３０３  電源管理部、３０４  第１のコイル制御部、３０５  第１のコイル、
３０６  第２のコイル制御部、３０７  第２のコイル、３０８  第３のコイル制御部、
３０９  第３のコイル、３１０  第４のコイル制御部、３１１  第４のコイル
【図１】
2017121102.tif 000003
【図２】
2017121102.tif 000004
【図３】
2017121102.tif 000005
【図４】
2017121102.tif 000006
【図５】
2017121102.tif 000007
【図６】
2017121102.tif 000008